(57)【要約】【課題】  シャワーホースに沿って流れる水を適切に除去することができ、シャワーホースを容易に出し入れすることができるシャワーホースの水切り具を提供する。【解決手段】  シャワーホースが通される通し孔１２が形成されてシャワーヘッドが支持される支持本体部１１と、シャワーホースが通されると共に水切りされる水切り孔４３が形成されて支持本体部１１に備えられた水切り部材４０と、この水切り部材４０に備えられたスポンジ５０とから水切り具１０が構成されている。支持本体部１１の下側ケース３０は、可動制限部３５ａ，ｂが形成されている。水切り孔４３は、シャワーホースを自在に出し入れすることができる大きさであり、かつ、縁の一部がシャワーホースに接触する大きさに形成され、水切り部材４０が、可動制限部３５ａ，ｂの間において、可動範囲１３内を移動する。【選択図】  図４
2018053637.tif 000002
【特許請求の範囲】
【請求項１】
シャワーホースが通される通し孔が形成されてシャワーヘッドが支持される支持本体部と、
前記シャワーホースが通されると共に水切りされる水切り孔が形成されて前記支持本体部に備えられた水切り部材と、から構成され、
前記水切り孔が、前記シャワーホースを自在に出し入れすることができる大きさであり、かつ、前記シャワーホースに縁の一部が接触する大きさに形成され、
前記水切り部材は、前記シャワーホースを出し入れする方向と交差する方向への移動が可能である、
ことを特徴とするシャワーホースの水切り具。
【請求項２】
前記水切り部材が、前記水切り孔の周囲に水受け部を有し、この水受け部が前記通し孔よりも大きく形成された、
ことを特徴とする請求項１に記載されたシャワーホースの水切り具。
【請求項３】
前記支持本体部が上流側ケースと下流側ケースとから構成され、
前記下流側ケースに形成された前記通し孔である下流側通し孔の内周に前記水切り孔の投影が重ならない範囲で、前記水切り部材の可動範囲を制限する可動制限部が備えられた、
ことを特徴とする請求項１または請求項２に記載されたシャワーホースの水切り具。
【請求項４】
前記水切り部材の周縁に排水口が形成された、
ことを特徴とする請求項１から請求項３のいずれか１項に記載されたシャワーホースの水切り具。
【請求項５】
前記シャワーホースに接触するスポンジが、前記水切り部材に備えられた、
ことを特徴とする請求項１から請求項４のいずれか１項に記載されたシャワーホースの水切り具。
【請求項６】
前記支持本体部がシャンプーボールに備えられ、
前記シャンプーボールの内側に向けられると共に前記水切り部材の周縁と対面した流水口が、前記支持本体部に形成された、
ことを特徴とする請求項１から請求項５のいずれか１項に記載されたシャワーホースの水切り具。
【請求項７】
前記水切り部材の周縁と対面した流水口が前記支持本体部に形成され、
前記可動制限部が、前記下流側通し孔の周囲に形成されると共に、前記流水口に向けられた、
ことを特徴とする請求項３に記載されたシャワーホースの水切り具。
【発明の詳細な説明】
【技術分野】
【０００１】
本発明は、シャワーホースに沿って流れる水を除去するシャワーホースの水切り具に関するものである。
【背景技術】
【０００２】
従来、例えば、理美容施設に設置されたシャンプーボールは、壁から離れて床に設置され、床下を流路とする給排水設備が備えられている。シャンプーボールは、シャワーホースが孔を通して収納され、シャワーヘッドが外側に露出しており、シャワーを利用する際、シャワーヘッドが引っ張られると、孔を介してシャワーホースが引き出される。シャワーホースが通される孔は、給排水設備と繋がっている構造ではないため、シャワーホースに沿って流れた水が孔を通過すると床が濡れる。ここで、流れた水を除去するために、孔とシャワーホースとのクリアランスが小さく形成された場合、シャワーホースを出し入れし難くなる。一方、シャワーホースを引き出しやすくするために、孔とシャワーホースとのクリアランスが大きく形成された場合、シャワーホースに沿って流れた水が孔を通過しやすくなるため、床が濡れる。
【０００３】
このような課題を解決するために、水切り用のブラシとシャワーホースを送り出すローラーとが孔に備えられたシャワーホース水切り装置が、下記特許文献１に記載されている。
【先行技術文献】
【特許文献】
【０００４】
【特許文献１】特許第３３４７２８５号公報
【発明の概要】
【発明が解決しようとする課題】
【０００５】
本発明は、上記の実情に鑑みて提案されたものである。すなわち、シャワーホースに沿って流れる水を適切に除去することができ、シャワーホースを容易に出し入れすることができるシャワーホースの水切り具の提供を目的とする。
【課題を解決するための手段】
【０００６】
上記目的を達成するために、本発明に係るシャワーホースの水切り具は、シャワーホースが通される通し孔が形成されてシャワーヘッドが支持される支持本体部と、前記シャワーホースが通されると共に水切りされる水切り孔が形成されて前記支持本体部に備えられた水切り部材と、から構成され、前記水切り孔が、前記シャワーホースを自在に出し入れすることができる大きさであり、かつ、前記シャワーホースに縁の一部が接触する大きさに形成され、前記水切り部材は、前記シャワーホースを出し入れする方向と交差する方向への移動が可能である、ことを特徴とする。
【０００７】
本発明に係るシャワーホースの水切り具は、前記水切り部材が、前記水切り孔の周囲に水受け部を有し、この水受け部が前記通し孔よりも大きく形成された、ことを特徴とする。
【０００８】
本発明に係るシャワーホースの水切り具は、前記支持本体部が上流側ケースと下流側ケースとから構成され、前記下流側ケースに形成された前記通し孔である下流側通し孔の内周に前記水切り孔の投影が重ならない範囲で、前記水切り部材の可動範囲を制限する可動制限部が備えられた、ことを特徴とする。
【０００９】
本発明に係るシャワーホースの水切り具は、前記水切り部材の周縁に排水口が形成された、ことを特徴とする。
【００１０】
本発明に係るシャワーホースの水切り具は、前記シャワーホースに接触するスポンジが、前記水切り部材に備えられた、ことを特徴とする。
【００１１】
本発明に係るシャワーホースの水切り具は、前記支持本体部がシャンプーボールに備えられ、前記シャンプーボールの内側に向けられると共に前記水切り部材の周縁と対面した流水口が、前記支持本体部に形成された、ことを特徴とする。
【００１２】
本発明に係るシャワーホースの水切り具は、前記水切り部材の周縁と対面した流水口が前記支持本体部に形成され、前記可動制限部が、前記下流側通し孔の周囲に形成されると共に、前記流水口に向けられた、ことを特徴とする。
【発明の効果】
【００１３】
本発明に係るシャワーホースの水切り具は、上記した構成である。すなわち、水切り孔が適切な大きさであることから、シャワーホースに沿って流れた水は、水切り孔の縁に接触して通過しないため、シャワーホースに沿って流れる水を適切に除去することができる。また、水切り部材が自在に移動するため、シャワーホースを容易に出し入れすることができる。
【００１４】
本発明に係るシャワーホースの水切り具は、水切り部材が、水切り孔の周囲に水受け部を有し、この水受け部が通し孔よりも大きく形成されている。この構成により、シャワーの水が、仮に通し孔を通過した場合であっても、水が水受け部に流れることで水切り孔を通過しない。したがって、通し孔を通過した水を、水切り部材よりも上流側で適切に除去することができる。
【００１５】
本発明に係るシャワーホースの水切り具は、支持本体部が上流側ケースと下流側ケースとから構成され、下流側ケースに形成された通し孔である下流側通し孔の内周に水切り孔の投影が重ならない範囲で、水切り部材の可動範囲を制限する可動制限部が備えられている。すなわち、水切り孔の投影が下流側通し孔の内周に重ならないため、水切り孔に通されたシャワーホースも、下流側通し孔の縁に接触しない。したがって、下流側通し孔の縁との接触によるシャワーホースの摩耗を抑止することができる。
【００１６】
本発明に係るシャワーホースの水切り具は、水切り部材の周縁に排水口が形成されている。この構成により、シャワーホースから水切り部材に流れた水が、排水口から排出される。したがって、水切り部材において除去された水を適切に排出することができる。
【００１７】
本発明に係るシャワーホースの水切り具は、シャワーホースに接触するスポンジが、水切り部材に備えられている。この構成により、シャワーホースに沿って流れた水が、スポンジに吸収されてシャワーホースから離れる。したがって、水切り部材よりも上流側で、更に適切に水を除去することができる。
【００１８】
本発明に係るシャワーホースの水切り具は、支持本体部がシャンプーボールに備えられ、シャンプーボールの内側に向けられると共に水切り部材の周縁と対面した流水口が、支持本体部に形成されている。この構成により、シャワーホースから水切り部材に流れて排水口から排出された水が、流水口からシャンプーボールの内側に排出される。したがって、水切り部材において除去された水を適切に排出することができる。
【００１９】
本発明に係るシャワーホースの水切り具は、水切り部材の周縁と対面した流水口が支持本体部に形成され、可動制限部が、下流側通し孔の周囲に形成されると共に、流水口に向けられている。この構成により、シャワーホースから水切り部材に流れた水が、仮に水切り部材から溢れた場合であっても、可動制限部に沿って流水口に流れる。したがって、水切り部材において除去された水を適切に排出することができる。
【図面の簡単な説明】
【００２０】
【図１】本発明の実施形態に係るシャワーホースの水切り具が備えられたシャワーボールの外観斜視図である。
【図２】本発明の実施形態に係るシャワーホースの水切り具にシャワーが取り付けられた状態が示され、（ａ）は前面図、（ｂ）左側面図である。
【図３】本発明の実施形態に係るシャワーホースの水切り具の外観が示され、（ａ）は上方から視した上面図、（ｂ）は右方から視した右側面図、（ｃ）は正面から視した前面図、（ｄ）は左方から視した左側面図、（ｅ）は背面から視した後面図、（ｆ）は下方から視した下面図である。
【図４】本発明の実施形態に係るシャワーホースの水切り具が分解されて示された分解斜視図である。
【図５】本発明の実施形態に係るシャワーホースの水切り具の左側面Ｃ−Ｃ拡大断面図である。
【図６】本発明の実施形態に係るシャワーホースの水切り具にシャワーが取り付けられた状態の断面が示され、（ａ）は左側面Ａ−Ａ拡大断面図、（ｂ）は後面Ｂ−Ｂ拡大断面図である。
【発明を実施するための形態】
【００２１】
以下に、本発明の実施形態に係るシャワーホースの水切り具（以下、シャワーホースの水切り具を、「水切り具」と記す。）を図面に基づいて説明する。図１は、水切り具１０が備えられたシャンプーボール１が示されている。図２は、水切り具１０にシャワーが取り付けられた状態が示されている。なお、以下の説明では、図１に示されているとおり、シャンプーボール１の深さ方向である鉛直方向を上方および下方（または、上流側および下流側）とし、シャンプーボール１の横幅方向を右方および左方とし、シャンプーボール１の奥行き方向を前方および後方とする。
【００２２】
図１に示されているとおり、シャンプーボール１は、上方部が開放された器型であり、被施術者（図示省略）の頭部が配置されて洗髪されるものである。シャンプーボール１の前方側は、頭部や頸部が支持される窪み部２が形成され、この窪み部２に、頭部などを支持する支持器具（図示省略）が適宜取り付けられる。また、シャンプーボール１は、内側に、ほぼ水平に形成された平坦部３が形成され、水を噴射させるシャワー４と、水量を調節するバルブ（図示省略）とが、平坦部３に備えられている。
【００２３】
図１および図２に示されているとおり、シャワー４は、シャワーホース５の先端にシャワーヘッド６が接続されて構成され、水切り具１０に取り付けられている。詳説すれば、シャワーホース５が水切り具１０に通されてシャンプーボール１の下方の外側に収納され、シャワーヘッド６が水切り具１０に支持されてシャンプーボール１の内側に配置されている。シャワー４が用いられる際は、シャワーヘッド６が引っ張られてシャワーホース５が引き出され、シャワーヘッド６の位置や向きが自在に変化する。
【００２４】
ここで、水切り具１０を図面に基づいて詳説する。図３は水切り具１０の外観が示され、図４は水切り具１０が分解されて示されている。また、図５は、図３（ｃ）におけるＣ−Ｃ断面であり、水切り部材を左方から視した断面が示されている。
【００２５】
図３および図４に示されているとおり、水切り具１０は、シャワーホース５が通される通し孔１２が形成されてシャワーヘッド６が支持される支持本体部１１と、シャワーホース５が通されると共に水切りされる水切り孔４３が形成されて支持本体部１１に備えられた水切り部材４０と、この水切り部材４０に備えられてシャワーホース５に接触するスポンジ５０とから構成されている。
【００２６】
支持本体部１１は、正面から視して、上方から下方に向かうにつれて広がって形成され、上流側ケースとしての上側ケース２０と下流側ケースとしての下側ケース３０とが上下から合体することで構成されている。支持本体部１１は、円形の通し孔１２が、各ケース２０，３０のほぼ中心を上下に貫通している。通し孔１２の軸は、垂直方向に対して前方に傾斜している。
【００２７】
上側ケース２０は、平坦な上側上面部２１の周縁に環状の上側周面部２５が連接されて形成されている。上側上面部２１は、前方に向けて弧状に緩やかに湾曲した上側前方縁２２と、後方に向けて上側前方縁２２よりも大きく弧状に湾曲した上側外周縁２３とを有し、ほぼ中央に円形の上流側通し孔２４が上下に貫通している。
【００２８】
上側周面部２５は、上側前面部２６と上側外周部２７とから構成されている。上側前面部２６は、上側上面部２１の上側前方縁２２と連接され、上側外周部２５は、上側上面部２６の上側外周縁２３と連接されている。上側前面部２６と上側外周部２７とは、左右においてそれぞれ連接されている。上側前面部２６は、下方部において前後に貫通する流水口２８が形成されている。なお、流水口２８の大きさや形状は任意である。
【００２９】
下側ケース３０は、平坦な下側上面部３１の周縁に下側周面部３６が連接されて形成されている。下側上面部３１は、前方に向けて弧状に緩やかに湾曲した下側前方縁３２と、後方に向けて下側前方縁３２よりも大きく弧状に湾曲した下側外周縁３３とを有し、ほぼ中央に円形の下流側通し孔３４が上下に貫通している。下側上面部３１は、水切り部材４０の可動範囲を制限する可動制限部３５ａ，ｂが形成されている。可動制限部３５ａ，ｂは、下流側通し孔３４を中心として左右一対で構成され、下流側通し孔３４の周囲に配置されている。可動制限部３５ａ，ｂは、上方に向けて突出すると共に、下流側通し孔３４に沿って湾曲し、上側ケース２０の流水口２８に向けられている。可動制限部３５ａ，ｂ同士の間隔は水切り部材４０よりも広く形成されている。
【００３０】
下側周面部３６は、下側前面部３７と下側外周部３８とから構成されている。下側前面部３７は、下側上面部３１の下側前方縁３２と連接され、下側外周部３８は、下側上面部３１の下側外周縁３３と連接されている。下側前面部３７と下側外周部３８とは、左右においてそれぞれ連接されている。下側前面部３７は、下側外周部３８と比較して低く形成され、一方、下側外周部３８は、上側前面部３７と比較して高く形成されている。このことによって、下側上面部３１は前方に向かうにつれて下方に傾斜している。詳説すれば、下側前面部３７は可能な限り低く形成され、上下各ケース２０，３０が合体した際、上側ケース２０の流水口２８が水切り具１０の前面における下方部に近い位置に配置される。
【００３１】
水切り部材４０は、水切り孔４３の周囲に水受け部４１が形成されている。詳説すれば、水受け部４１は、ほぼ円板状に形成され、ほぼ中央に円形の水切り孔４３が上下に貫通している。また、水受け部４１は、環状の水受け側面部４２が周縁に形成されている。水受け側面部４２は、下方部において内側から外側に向けて貫通する排水口４４ａ，ｂ，ｃ，ｄが四方に形成されている。また、水受け側面部４２は、排水口４４ａ〜ｄ同士の間において、内側に向けて突出した支持片４５ａ，ｂ，ｃ，ｄが四方に形成されている。支持片４５ａ〜ｄは、水受け部４１から水受け側面部４２に沿って上方に向けて立ち上がって形成され、水切り側面部４２のほぼ半分の高さである。
【００３２】
スポンジ５０は、環状のスポンジ支持部５１の内側にスポンジ本体５２が取り付けられている。スポンジ本体５２は、中央に隙間５３が形成されている。また、隙間５３の内周は、シャワーホース５との摩擦を低減させる緩衝材（図示省略）が備えられている。緩衝材は、例えば、メッシュ状の生地で形成されたネットなどである。詳説すれば、ネットは、例えばポリエステルなどであり、筒状に形成されている。ネットは、はじめに隙間５３に通され、その後、上端および下端がそれぞれ反対方向にめくられてスポンジ５０に巻き付けられる。このことにより、スポンジ５０は、上面、下面、外周および隙間５３の内周がネットで覆われる。なお、隙間５３の内周がネットで覆われる構成であれば、ネットの形状や、スポンジ５０へのネットの取り付け方は任意である。また、緩衝材は、シャワーホース５との摩擦を、シャワーホース５とスポンジ５０との摩擦よりも低減させるものであり、かつ、スポンジ５０の吸水効果を妨げないものであれば、任意である。
【００３３】
上記した各部材が、以下のとおり合体されて水切り具１０が構成される。すなわち、スポンジ５０は、スポンジ支持部５１が水切り部材４０の支持片４５ａ〜ｄに支持されることで、水受け部４１と対面し、水切り部材４０の内側に収容される。水切り部材４０は、下側ケース３０の下側上面部３１に対面して取り付けられる。上側ケース２０は、下側ケース３０の上方から取り付けられる。このことにより、スポンジ５０が取り付けられた水切り部材４０が支持本体部１１の内側に収容され、水切り具１０が完成する。
【００３４】
ここで、可動制限部３５ａ，ｂ同士の間隔は水切り部材４０よりも広く形成されていることから、水切り部材４０は、下側上面部３１において、可動制限部３５ａ，ｂの間を、シャワーホース５が出し入れされる方向と交差する上下左右の方々へ自在に移動する。すなわち、水切り部材４０が自在に移動する可動範囲１３が可動制限部３５ａ，ｂの間に形成されている。その際、水切り部材４０の可動範囲１３は、上方から視した場合の水切り孔４３の投影１４が下流側通し孔３４の内周に重ならない範囲内である。
【００３５】
図５に示されているとおり、支持本体部１１は、上側ケース２０の上流側通し孔２４よりも下側ケース３０の下流側通し孔３４の方が大きく形成されている。水切り部材４０の水受け部４１は、上下各ケース２０，３０の各通し孔２４，３４よりも大きく形成されている。水切り部材４０の水切り孔４３は、上流側通し孔２４よりも小さく、かつ、下流側通し孔３４よりも小さく形成されている。水切り部材４０の水受け側面部４２は、上側ケース２０の流水口２８と対面し、流水口２８と水切り部材４０の排水口４４ａ〜ｄとが通じている。
【００３６】
ここで、上記のとおり形成された水切り具１０にシャワー４が通された場合の構成を図面に基づいて説明する。図６は、水切り具１０にシャワー４が通された状態における断面が示され、図６（ａ）が図２（ａ）におけるＡ−Ａ断面であり、左方から視した断面が示されている。一方、図６（ｂ）は図２（ｂ）におけるＢ−Ｂ断面であり、後方から視した断面が示されている。
【００３７】
図６に示されているとおり、上側ケース２０の上流側通し孔２４は、シャワーホース５の直径よりも僅かに大きく、シャワーホース５を自在に出し入れすることができる大きさに形成されている。スポンジ５０の隙間５３は、シャワーホース５の直径よりも僅かに小さく形成され、シャワーホース５にスポンジ本体５２がネットを介して接触する。水切り部材４０の水切り孔４３は、シャワーホース５の直径よりも僅かに大きく、シャワーホース５を自在に出し入れすることができる大きさであり、かつ、シャワーホース５に水切り孔４３の縁の前方部が接触する大きさに形成されている。下側ケース３０の下流側通し孔３４は、シャワーホース５の直径よりも大きく、シャワーホース５を自在に出し入れすることができる大きさに形成されている。
【００３８】
このような状態においてシャワー４が使用され、シャワーヘッド６から滴り落ちる水やシャンプーボール１内で跳ね返った水が、シャワーホース５に沿って流れると、水は、スポンジ本体５２によって吸い取られ、スポンジ本体５２から溢れると水切り部材４０に流れる。また、仮に水がスポンジ５０を通過した場合であっても、水は水切り部４０において水切り孔４３の縁に接触し、水切り孔４３を通過することなく水受け部４１を伝って流れる。さらに水は、水受け部４１を流れて排水口４４ａ〜ｄから排出され、上側ケース２０の流水口２８から外に流れる。図１に示されているとおり、流水口２８は、シャンプーボール１の内側に向けられているため、水は流水口２８からシャンプーボール１の内側に排出される。
【００３９】
シャワーホース５がシャワー４の移動と共に上下左右に自在に移動すると、シャワーホース５の動きに追随して、水切り部材４０が、可動範囲１３内で下側ケース４０の下側上面部３１を自在に摺動する。
【００４０】
以上のとおり、水切り具１０が構成されている。次に、水切り具１０の効果を説明する。
【００４１】
水切り具１０は、水切り部材４０の水切り孔４３が、シャワーホース５の直径よりも僅かに大きく形成され、シャワーホース５を自在に出し入れすることができる大きさであり、かつ、シャワーホース５に水切り孔４３の縁の前方部が接触する大きさに形成されている。すなわち、水切り孔４３が適切な大きさであることから、シャワーホース５に沿って流れた水は、水切り孔４３の縁に接触して水切り孔４３を通過しないため、シャワーホース５に沿って流れる水を適切に除去することができる。
【００４２】
また、水切り部材４０の水受け部４１は、上下各ケース２０，３０の各通し孔２４，３４よりも大きく形成されている。この構成により、シャワー４の水が、仮に上流側通し孔２４を通過した場合であっても、水が水受け部４１に流れて水切り孔４３を通過しない。したがって、上流側通し孔２４を通過した水を、水切り部材４０よりも上流側で適切に除去することができる。
【００４３】
水切り具１０は、下側ケース３０の可動制限部３５ａ，ｂ同士の間隔が、水切り部材４０よりも広く形成され、この可動制限部３５ａ，ｂの間に、水切り部材４０が自在に移動する可動範囲１３が形成されている。この構成により、シャワーホース５がシャワー４の移動と共に上下左右に自在に移動すると、シャワーホース５の動きに追随して、水切り部材４０が、可動範囲１３内で下側ケース４０の下側上面部３１を自在に摺動する。したがって、シャワーホース５を容易に出し入れすることができる。
【００４４】
また、その際、水切り部材４０の可動範囲１３は、上方から視した場合の水切り孔４３の投影１４が下流側通し孔３４の内周に重ならない範囲内である。すなわち、水切り孔４３の投影１４が下流側通し孔３４の内周に重ならないため、水切り孔４３に通されたシャワーホース５も、下流側通し孔３４の縁に接触しない。したがって、下流側通し孔３４の縁との接触によるシャワーホース５の摩耗を抑止することができる。
【００４５】
水切り具１０は、水切り部材４０の水受け側面部４２に、下方部において内側から外側に向けて貫通する排水口４４ａ〜ｄが形成されている。この構成により、シャワーホース５から水切り部材４０に流れた水が、排水口４４ａ〜ｄから排出される。したがって、水切り部材４０において除去された水を適切に排出することができる。
【００４６】
スポンジ５０は、スポンジ支持部５１が水切り部材４０の支持片４５ａ〜ｄに支持されることで、水受け部４１と対面し、水切り部材４０の内側に収容される。この構成により、シャワーホース５に沿って流れた水が、スポンジ本体５２に吸い取られて水切り部材４０に流れる。したがって、水切り部材４０よりも上流側で、更に適切に水を除去することができる。また、スポンジ５０は、隙間５３の内周がネットで覆われているため、シャワーホース５がネットを介して摺動することで円滑に引き出される。したがって、シャワーホース５を容易に出し入れすることができる。
【００４７】
水切り具１０は、上側ケース２０の上側前面部２６に、下方部において前後に貫通する流水口２８が形成されている。水切り部材４０の水受け側面部４２は、上側ケース２０の流水口２８と対面し、流水口２８と水切り部材４０の排水口４４ａ〜ｄとが通じている。この構成により、シャワーホース５から水切り部材４０に流れて排水口４４ａ〜ｄから排出された水が、流水口４４ａ〜ｄからシャンプーボール１の内側に排出される。したがって、水切り部材４０において除去された水を適切に排出することができる。
【００４８】
水切り具１０は、下側ケース３０の可動制限部３５ａ，ｂが、上方に向けて突出すると共に、下流側通し孔３４に沿って湾曲し、上側ケース２０の流水口２８に向けられている。この構成により、シャワーホース５から水切り部材４０に流れた水が、排水口４４ａ〜ｄから排出され、可動制限部３５ａ，ｂに沿って流水口２８に流れる。したがって、水切り部材４０において除去された水を誘導して適切に排出することができる。
【００４９】
なお、上記した実施形態の他の実施形態として、スポンジ支持部５１が省略され、スポンジ本体５２が直接水切り部材４０に着脱される構成であってもよい。また、他の実施形態として、可動制限部ａ，ｂが上側ケース２０に形成されていてもよい。また、他の実施形態として、排水口４４ａ〜ｄが、水受け部４１に形成されていてもよい。また、他の実施形態として、水切り部材４０およびスポンジ５０がシャワーホース５に沿って複数形成されていてもよい。
【００５０】
また、他の実施形態として、スポンジ５０に替えてブラシとしてもよい。この場合、ブラシは、環状のブラシ支持部の内側にブラシ本体が取り付けられている。ブラシ本体は、ブラシ支持部の内面から中央に向けて伸び、中央に隙間が形成されている。
【００５１】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００５２】
１                シャンプーボール
２                窪み部
３                平坦部
４                シャワー
５                シャワーホース
６                シャワーヘッド
１０              シャワーホースの水切り具
１１              支持本体部
１２              通し孔
１３              可動範囲
１４              投影
２０              上側ケース（上流側ケース）
２１              上側上面部
２２              上側前方縁
２３              上側外周縁
２４              上流側通し孔
２５              上側周面部
２６              上側前面部
２７              上側外周部
２８              流水口
３０              下側ケース（下流側ケース）
３１              下側上面部
３２              下側前方縁
３３              下側外周縁
３４              下流側通し孔
３５ａ，ｂ        可動制限部
３６              下側周面部
３７              下側前面部
３８              下側外周部
４０              水切り部材
４１              水受け部
４２              水受け側面部
４３              水切り孔
４４ａ〜ｄ        排水口
４５ａ〜ｄ        支持片
５０              スポンジ
５１              スポンジ支持部
５２              スポンジ本体
５３              隙間
【図１】
2018053637.tif 000003
【図２】
2018053637.tif 000004
【図３】
2018053637.tif 000005
【図４】
2018053637.tif 000006
【図５】
2018053637.tif 000007
【図６】
2018053637.tif 000008